(57)【要約】      （修正有）【課題】ＩＣカードをかざす時間が十分でなく、かざし部とＩＣカードの交信によるデータ処理が不成立であることが多いため、ＩＣカードとかざし部との交信の確実性を増すように工夫したカード情報処理装置及び処理方法を提供する。【解決手段】基板２００と、この基板を振動させることができる振動発生部２２０と、前記基板に搭載され、電波を介してＩＣカードとの間での交信処理が成立したときに、前記振動発生部に振動指令を与える回路２４０とを有する。【選択図】図２
2007241497.tif 000002
【特許請求の範囲】
【請求項１】
基板と、
この基板を振動させることができる振動発生部と、
前記基板に搭載され、電波を介してＩＣカードとの間での交信処理が成立したときに、前記振動発生部に振動指令を与える回路とを有する
ことを特徴とするカード情報処理装置。
【請求項２】
前記基板には、さらに発光部が設けられており、前記回路は、前記発光部の発光色を、ＩＣカードから読み取ったカード情報に基づいて特定できる出力部を有することを特徴とする請求項１記載のカード情報処理装置。
【請求項３】
前記基板には、さらにコメント表示部が設けられており、前記回路は、前記コメント表示部に出力するコメント内容を、ＩＣカードから読み取ったカード情報に基づいて特定できるコメント出力部を有することを特徴とする請求項１記載のカード情報処理装置。
【請求項４】
基板に振動発生部を取り付け、前記基板に設けられた回路とＩＣカードとの間で電波を通じて交信を行うようにしたカード情報処理方法において、
前記ＩＣカードから交信処理の正常終了を示す応答信号があったとき、前記回路が前記振動発生部に振動指令を与えるようにした、
ことを特徴とするカード情報処理方法。
【請求項５】
前記基板には、さらに発光部が設けられており、前記回路は、前記発光部の発光色を、ＩＣカードから読み取ったカード情報に基づいて特定する
ことを特徴とする請求項４記載のカード情報処理方法。
【請求項６】
前記基板には、さらにコメント表示部が設けられており、前記回路は、前記コメント表示部に出力するコメント内容を、ＩＣカードから読み取ったカード情報に基づいて特定する
ことを特徴とする請求項４記載のカード情報処理方法。
【請求項７】
アンテナと、
前記アンテナに接続せれた送受信部と、
前記送受信部からの受信情報を受け取り、また前記送受信部に対して送信情報を与える制御部と、
前記送信情報として送るためのカードＩＤと、有効期間情報と、オリジナルの色指定情報を記憶したメモリと
を有したことを特徴とするＩＣカード。
【請求項８】
さらに前記メモリは、オリジナルのコメント情報が記憶されていることを特徴とする請求項４記載のＩＣカード。
【発明の詳細な説明】
【技術分野】
【０００１】
この発明は、集積回路（ＩＣ）を内蔵したＩＣカードの情報を読み取り、情報処理を行うカード情報処理装置及び処理方法に関する。そして、例えば、定期券や乗車券として利用されるＩＣカードの情報を確実に読み取れるようにした装置及び方法である。
【背景技術】
【０００２】
近年は、駅の自動改札装置では、非接触型ＩＣカードを乗車券あるいは定期券として利用できるようになった。自動改札装置では、利用者が、通路を通りながらＩＣカードを改札装置の読み取り部（かざし部）に翳している。翳し部は、利用者がＩＣカードをかざすとき、目印となる表示部を有する（特許文献１）。さらにＩＣカードの翳し位置を正確にガイドするために、複数のＬＥＤを設けて、この複数のＬＥＤで囲まれる領域にガイドする工夫を行っている。
【０００３】
ＩＣカードが上記かざし部に近接したとき、ＩＣカードの記憶情報が読み取られ、ＩＣカードに乗車情報が書き込まれるが、成功したときは、「ピッ」という音が改札装置から出力され、エラーのときは「ピーピー」というような音が改札装置から出力される。また、エラーのときはゲートの扉も閉じたままとなる。
【特許文献１】特開２００４−３５５５８０公報
【発明の開示】
【発明が解決しようとする課題】
【０００４】
改札装置において、上記したようなエラーが発生すると、ラッシュアワーなどではゲートが渋滞になってしまう。エラーが発生する要因に着目すると、ＩＣカードをかざす時間が十分でなく、かざし部とＩＣカード間の交信によるデータ処理が不成立であること多い。
【０００５】
そこで、この発明に係る実施の形態では、かざし部に対して擬似的なボタンの機能を付加し、ＩＣカードとかざし部との交信の確実性を増すように工夫したカード情報処理装置及び処理方法を提供することを目的とする。
【課題を解決するための手段】
【０００６】
上記の目的を達成するためにこの発明の一実施の形態では、基板２００と、この基板を振動させることができる振動発生部２２０と、前記基板に搭載され、電波を介してＩＣカードとの間での交信処理が成立したときに、前記振動発生部に振動指令を与える回路２４０とを有する。
【発明の効果】
【０００７】
上記手段によると、利用者は所有するＩＣカードとカード情報処理装置との間で交信処理が成功したことを、基板の振動で確認できる。つまり、利用者は、基板が振動する感触を得るまで、擬似的なボタンを押すことになり、ＩＣカードをかざした状態に維持するために、ＩＣカードとかざし部との交信の確実性が増す。
【発明を実施するための最良の形態】
【０００８】
以下、この発明に係る実施の形態を説明する。図１には、改札装置１１の一部を示している。この改札装置１１の上面の平坦な部分には、ＩＣカード情報処理装置１２が取り付けられている。
【０００９】
図２はＩＣカード情報処理装置１２を取り出してその平面図と断面図を示している。図２（Ｂ）断面図は、図２（Ａ）をＸ１−Ｘ２線上で断面したものである。メイン基板２００の上面側には、回路部２４０が形成されている。この回路部２４０の詳細は、図３に示して説明するが、この回路部２４０は、アンテナを有し、ＩＣカードとの間で電波を通じて交信を行うことができる。基板２００の縁は、取り付けフレーム３００により、弾性支持部２５０を介して囲まれている。取り付けフレーム３００は、図１に示した改札装置１１にこのＩＣカード情報処理装置１２を固定するのに利用される。
【００１０】
メイン基板２００の底面には、振動発生部２２０が取り付けられている。この振動発生部２２０は、スイッチがオンすると、電磁石が駆動され振動を発生し、メイン基板２００に伝達する。メイン基板２００は、振動により上下に振動する。このためにメイン基板２００は、弾性支持部２５０を介して、取り付けフレーム３００に取り付けられている。また弾性支持部２５０は、単に振動を得るための緩衝機能の役割だけでなく、利用者が基板２００を押し付けたときに、変位し、利用者がボタンを押したような感触を得られる程度に、弾力性を持ってもよい。
【００１１】
さらにメイン基板２００の上面側には、発光部として例えばリング状の色表示部２１０が設けられている。この色表示部２１０は、例えば光ファイバが用いられ、その案内光は、発光ダイオードから出力されている。そして、ＩＣカードとこのＩＣカード情報処理装置との交信処理が成功すると、例えばＩＣカード所有者が設定した好みの色で発光することができる。
【００１２】
メイン基板２００の上面には、さらに保護膜３１０が貼られている。そして、回路部２４０の上面には、ＩＣカードをかざす位置の目安となる目印２６０が付されている。目印２６０は、点線の枠でもよいし、スポットのような目印であってもよい。
【００１３】
また、メイン基板２００には、液晶表示装置を用いたコメント表示部２７０が設けられている。ここでは、液晶表示装置を用いて文字、絵柄などの表示を行うことができる。さらに図示していないが、音声出力のためのスピーカが設けられていてもよい。
【００１４】
図３には、上記の回路部２４０の構成例を示している。アンテナ５０１は、例えば基板に対して導電部材が印刷されて形成されている。アンテナ５０１の受信出力は、カード情報受信部５０２を介して分類部５０３に導かれる。分類部５０３は、カード情報のヘッダの属性を判定し、乗車時の処理を行うべきか、降車時の処理を行うべきかを判定する。カード情報のヘッダに乗車駅情報のフラッグが例えば”０”の場合は、利用者はこれから乗車することである。カード情報に乗車駅情報のフラッグが”１”の場合は、利用者は列車から降車したことである。
【００１５】
カード情報の読み取りに失敗したときは、コメント表示部２７０に読み取りに失敗したことの表示を行い、色表示部２１０には、ＮＧ特有の色を発光させる。
【００１６】
カード情報が読み取られ、今、乗車駅であるとすると、乗車駅処理部５０４が動作する。乗車駅処理部５０４には、有効期限チェック部５０４ａ，カードＩＤチェック部５０４ｂ、乗車駅情報処理部５０４ｃ、リング色指定情報処理部５０４ｄ、コメント情報処理部５０４ｅが設けられている。
【００１７】
これにより乗車駅処理部５０４では、読み取ったＩＣカード情報から、ＩＣカードの有効期限のチェック、カードＩＤのチェックが行われ、また乗車駅情報の処理が行われる。カードが有効なものであれば、乗車駅情報（例えば乗車駅ＩＤ）がカード情報処理命令送信部５０５に送られる。これにより、ＩＣカードに対して乗車駅情報が書き込まれる。乗車駅情報が書き込まれると、ＩＣカードは、応答信号（アクノーリッジ）を出力する。この応答信号は、カード情報受信部５０２を通じて分類部５０３に入力される。
【００１８】
分類部５０３は、応答信号があったことを処理成立判定部５１５に通知する。処理成立判定部５１５は、この通知を受けて、振動指令出力部５１６を制御する。これにより、先に説明した振動発生部２２０が動作し、基板２００が振動し、利用者は交信が成立したことを振動で確認することができる。また、処理成立判定部５１５は、色表示部駆動指令出力部５１７も制御する。これにより、色表示部が、利用者が設定している所望の色で点灯あるいは点滅する。したがって、利用者は、振動を感じ、また、色表示部の色をみることで、確実にＩＣカードとの交信が完了したことを確認できる。このときさらに、処理成立判定部５１５は、コメント出力部５１３、音声信号出力部５１４を制御してもよい。コメント出力部５１３は、コメント表示部２７０に対して文字あるいは絵柄などのデータを出力して、表示を得ることができる。音声信号出力部５１４は、スピーカを駆動し、データ処理内容に応じた音声出力を得ることができる。
【００１９】
上記のように交信処理の成立が成立した場合、コメント出力部５１３の動作により、例えば「通行できます」というような表示がコメント表示部２７０に得られる。また音声信号出力部５１４の動作により、「通行できます」というような音声出力がスピーカから得られる。
【００２０】
さらに、処理成立判定部５１５は、利用者のＩＣカード情報にコメント表示に関して、オリジナルの表示データがあった場合、そのオリジナル表示データをコメント出力部５１３に送る。例えば、ＩＣカード情報に、名前、ニックネームなどがオリジナル表示データとして登録されていた場合、このオリジナル表示データをコメント表示部２７０に表示することができる。
【００２１】
また、処理成立判定部５１５は、利用者のＩＣカード情報に含まれる指定色情報が何色を指定しているかを判定し、色表示部の発光色を設定することができる。利用者は、利用者自身のオリジナルの発光色を設定することが可能であるが、これについては後述する。
【００２２】
上記のように、利用者は、手の触覚、視覚、聴覚により、交信処理の成立を認識することができる。またカード情報を通じて、色表示部２１０が発光する色として、利用者のオリジナルである好みの色あるいは認識し易い色を指定することが可能である。
【００２３】
上記の説明では、乗車駅処理において、処理成立判定部５１５がＩＣカードとＩＣカード情報処理装置の間の交信処理の成立を検出したときの動作を説明した。これに対して、処理不成立判定部５１２が処理不成立を判定する場合は、以下のようになる。即ち、乗車駅処理部５０４は、カード情報処理命令送信部５０５に送信指令を与えたとき、一定時間のカウントを行う。このカウント情報は、処理不成立判定部５１２に与えられている。処理不成立判定部５１２は、一定のカウント時間内に分類部５０３からＩＣカードの応答信号が得られない場合は、交信処理不成立と判定する。処理不成立判定部５１２は、処理不成立と判定した場合、コメント出力部５１３、及び又は音声信号出力部５１４を制御する。処理不成立の場合、コメント出力部５１３の動作により、例えば「もう一度触れてください」というような表示がコメント表示部２７０に得られる。また音声信号出力部５１４の動作により、「もう一度触れてください」というような音声出力がスピーカから得られる。
【００２４】
上記の説明は、乗車駅における動作である。降車駅の改札装置では、次のような処理が実行される。分類部５０３は、ＩＣカードからの情報を取得したとき、乗車駅情報が含まれている場合、降車駅処理部５１１を起動する。
【００２５】
降車駅処理部５１１には、カードＩＤチェック部５１１ａ、乗車駅チェック部５１１ｂ、乗車区間判定部５１１ｃ、運賃清算処理部５１１ｄ、バリュー情報チェック部５１１ｅ、リング色指定情報処理部５１１ｆ、コメント情報処理部５１１ｇが設けられている。
【００２６】
これにより、降車駅処理部５１１では、ＩＣカードから読み取ったカード情報の中の、カードＩＤチェック、乗車駅チェックが行われ、さらに乗車区間の判定が行われる。そして、乗り越しなどが行われている場合、運賃清算処理が行われ、ＩＣカードの預託金を示すバリュー情報を処理して運賃精算を行う。最終的にデータ処理が終了すると、ＩＣカードから終了を示す応答信号が到来する。この応答信号に応答して処理成立判定部５１５が先に述べたように動作する。応答信号がない場合には、処理不成立判定部５１２が動作する。この場合、コメントあるいは音声出力としては、例えば「金額が不足しています」、「もう一度触れてください」などの出力が得られる。
【００２７】
図４には、ＩＣカード６００の構成例を示している。ＩＣカード６００は、アンテナ６０１、送受信部６０２を有し、送受信信号を制御部６０３において処理する。制御部６０３には、例えばデータ書き込み消去が可能な不揮発性のフラッシュメモリ装置６０４を有する。メモリ装置６０４には、カードＩＤ記憶部、このＩＣカード６００の定期券としての有効期間情報記憶部がある。さらに乗車するときに駅情報が記述される乗車駅情報記憶部、預託金の情報であるバリュー情報記憶部、さらには、先に説明したリング色の指定情報の記憶部、コメント情報の記憶部などが設けられている。先に説明したように、色表示部の発光色、コメントや音声の内容決まるのは、上記のリング色の指定情報、コメント情報がＩＣカード情報として、処理装置に読み取られるからである。
【００２８】
図５は、ＩＣカード６００とＩＣカード情報処理装置１２とが交信を行った際のＩＣカード情報処理装置１２側の動作を簡単に示すフローチャートである。この装置の場合、ユーザは、ＩＣカードで基板２００の上面（ボタン部）を押し付けるという操作方法が適している。この状態で、カード情報の読み取りが行われ、読み取り内容の判定が行われる。つまり、所定のフォーマットでカード情報が認識されたかどうかの判定が行われる。読み取りが失敗しているときは、コメント表示部２７０において、読み取りに失敗している旨のコメントあるいは絵柄の表示が得られる。読み取りが成功している場合には、ＩＣカードへのデータ書き込み及び又はＩＣカードのデータ処理が実行される。次に、書き込みが成功したかどうかの判定が行われる。つまり正常な応答信号がＩＣカードから返還されてきたかどうかの判定が行われる。
【００２９】
書き込みに失敗している場合には、コメント表示部２７０に、利用者の名前、あるいは失敗している旨のコメントが表示される。またＮＧ特有の色が色表示部で発光される。書き込みに成功しているときは、基板の振動が得られるとともに、コメントが表示され、また利用者オリジナルの色が色表示部で発光する。
【００３０】
上記のように、利用者は、振動の感触を得ることができることに加えて、色、文字・コメントなどの媒体を確認できるので、利用者にとって有利な媒体を選択することが可能である。例えば、目や耳にハンディキャップがある利用者にとっても便利な装置である。
【００３１】
図６には、色表示部２１０として利用される光ファイバ装置を示している。複数の光ファイバが束７１０としてリング状に形成されている。各光ファイバ７１０ａ，７１０ｂ，７１０ｃ，７１０ｄの端部には、それぞれ赤、青、緑、白の色を出力する発光ダイオードＤ１，Ｄ２，Ｄ３，Ｄ４が取り付けられている。いずれの発光ダイオードが点灯するかは、端子７１２に入力した指令信号に応じて、選択回路７１１が選択することにより決定される。
【００３２】
上記した発明は、改札装置だけに適用されるものではなく、各種の認識装置として利用可能である。
【００３３】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３４】
【図１】この発明の一実施の形態による装置の使用例を示す図である。
【図２】この発明の一実施の形態による装置の平面図と断面図である。
【図３】この発明に一実施の形態による装置の回路部の例を示す図である。
【図４】この発明に係るＩＣカードの回路ブロックの構成例を示す図である。
【図５】図４の回路ブロックの動作例を示す図である。
【図６】図１及び図２の表示部２１０の発光原理の例を示す図である。
【符号の説明】
【００３５】
１１…改札装置、１２…ＩＣカード情報処理装置、２００…メイン基板、２１０…色表示部、２２０…振動発生部、２４０…回路部、２５０…弾性支持部、２６０…目印、２７０…コメント表示部。
【図１】
2007241497.tif 000003
【図２】
2007241497.tif 000004
【図３】
2007241497.tif 000005
【図４】
2007241497.tif 000006
【図５】
2007241497.tif 000007
【図６】
2007241497.tif 000008